(57)【特許請求の範囲】
【請求項１】
冷気を冷蔵室の側壁に案内するように冷蔵室の側壁に一つ以上形成される冷気案内通路に夫々装着されるハウジングと、
該ハウジングに回転可能に支持されて、前記冷蔵室の内部の所定領域に高温負荷が発生されると、該高温負荷が発生された領域に冷気を集中的に噴射させる冷気噴射口が形成されるノズルと、
該ノズルの前方に装着されて、前記ノズルと共に回転されながら高温負荷が発生された領域を感知する赤外線センサーと、
前記ハウジングの上面に装着されて、前記ノズルの上面が露出されるように支持すると共に、前記ノズルの回転により前記冷気噴射口の開閉作用を行うノズル蓋と、を包含して構成されることを特徴とする冷蔵庫の集中冷却装置。
【請求項２】
前記ノズルは、
前記冷気案内通路に供給される冷気を集中負荷が発生された領域に噴射させる冷気噴射口と、
前記赤外線センサーが収納されるセンサー収納溝と、を包含して構成されることを特徴とする請求項１記載の冷蔵庫の集中冷却装置。
【請求項３】
前記ノズル蓋は、前記ハウジングの上面に装着されて、前記ノズルの上面が露出されるように中央にノズル挿入ホールが形成される装着部と、
該装着部から露出されるノズルの上面中、一部分のみを被覆し得るように前記装着部の上面に形成されて、前記ノズルが回転されて前記冷気噴射口がその内部に入ると、前記冷気噴射口を密閉させるノズル開閉部と、を包含して構成されることを特徴とする請求項１記載の冷蔵庫の集中冷却装置。
【請求項４】
前記装着部は、中央にノズル挿入ホールが形成される円板状に形成されて、前記ノズル開閉部は、前記装着部の上面に前記ノズルの上面中、約１／２程度を被覆し得るように形成されて、前記ノズルの上面に密着される球状に形成されることを特徴とする請求項３記載の冷蔵庫の集中冷却装置。
【請求項５】
前記装着部とノズル開閉部とは、一体に成形されることを特徴とする請求項３記載の冷蔵庫の集中冷却装置。
【請求項６】
前記ノズル開閉部の内面には、前記ノズル開閉部とノズル間が冷気により結氷されることを防止する加熱手段が付着されることを特徴とする請求項３記載の冷蔵庫の集中冷却装置。
【請求項７】
前記加熱手段は、電源が印加されると、発熱される円形状の熱線が形成されることを特徴とする請求項６記載の冷蔵庫の集中冷却装置。
【請求項８】
冷気を冷蔵室の側壁に案内するように冷蔵室の側壁に一つ以上形成される冷気案内通路に夫々装着されるハウジングと、
該ハウジングに回転可能に支持されて、前記冷蔵室の内部の所定領域に高温負荷が発生されると、該高温負荷が発生された領域に冷気を集中的に噴射させる冷気噴射口が形成されるノズルと、
該ノズルの前方に装着されて、該ノズルと共に回転されながら高温負荷が発生された領域を感知する赤外線センサーと、
前記ハウジングの上面に装着されて、前記ノズルの上面が露出されるように支持すると共に、該ノズルの回転により前記冷気噴射口の開閉作用を行うノズル蓋と、
前記冷気案内通路に案内される冷気中の一部を前記赤外線センサーの表面に噴射して該赤外線センサーの表面の結氷を除去する冷気吐出部と、を包含して構成されることを特徴とする冷蔵庫の集中冷却装置。
【請求項９】
前記ノズル蓋は、
前記ハウジングの上面に装着されて、前記ノズルの上面が露出されるように中央にノズル挿入ホールが形成される装着部と、
該装着部から露出されるノズルの上面中、一部分のみを被覆し得るように前記装着部の上面に形成されて、前記ノズルが回転されて前記冷気噴射口がその内部に入ると、前記冷気噴射口を密閉させるノズル開閉部と、を包含して構成されることを特徴とする請求項８記載の冷蔵庫の集中冷却装置。
【請求項１０】
前記冷気吐出部は、
前記ノズル開閉部の内側面に形成されて、冷気を前記赤外線センサーが収納されたセンサー収納溝に噴射させる冷気吐出グルーブと、
前記ハウジングの外側壁面に形成されて、前記冷気吐出グルーブと前記冷気案内ダクト間を連通させる冷気供給溝と、を包含して構成されることを特徴とする請求項９記載の冷蔵庫の集中冷却装置。
【請求項１１】
前記冷気吐出グルーブは、前記ノズル開閉部の内側面に窪んだ帯状に形成されて、その入口が前記センサー収納部の正面に位置されることを特徴とする請求項１０記載の冷蔵庫の集中冷却装置。
【請求項１２】
前記冷気供給溝は、前記ハウジングの外壁一方側に形成されて、その上方側は前記冷気吐出グルーブの端部に連結されて、下方側は前記冷気案内ダクトの一方側に形成される貫通ホールに連結されることを特徴とする請求項１０記載の冷蔵庫の集中冷却装置。
【請求項１３】
前記ノズル開閉部の内面には、前記ノズル開閉部と前記ノズル間が冷気により結氷されることを防止するヒータが設置されることを特徴とする請求項９記載の冷蔵庫の集中冷却装置。
【発明の詳細な説明】
【０００１】
【発明の属する技術分野】
本発明は、冷蔵庫に係るもので、詳しくは、冷蔵室内部の高温負荷が発生された領域に冷気を集中的に噴射して高温負荷の迅速な冷却作用を遂行し得る冷蔵庫の集中冷却装置に関するものである。
【０００２】
【従来の技術】
従来の冷蔵庫は、図７及び図８に示したように、前方の両方向に開閉自在の一対のドア１０２が装着されて、内部に収納空間を有する本体１０４と、該本体１０４の左側に配置されて冷凍食品を保管する冷凍室１０６と、前記本体１０４の右側に配置されることで冷蔵食品が収納される冷蔵室１０８と、前記冷凍室１０６の上方側に設置されて、冷凍サイクル（図示されず）を通過しながら冷却された空気を前記冷凍室１０６及び冷蔵室１０８に供給する冷気供給装置と、を包含して構成されていた。
【０００３】
且つ、前記冷気供給装置は、前記冷凍室１０６の上方側の後方壁面に装着されて、冷凍サイクルを通過しながら冷却された空気を強制的に送風させる送風ファン１２０と、該送風ファン１２０から送風される冷気を冷蔵室１０８に流入させるために隔壁１１０の上方側に穿孔形成された冷気供給通路１３２と、前記冷蔵室１０８の上部に装着されて、冷気供給通路１３２と連通されることで該冷気供給通路１３２に供給される冷気を冷蔵室１０８の内部に吐出させる冷気吐出ダクト１３４と、前記隔壁１１０の下方側に形成されて冷蔵室１０８を循環しながら冷却作用が完了された冷気を冷凍サイクルに流入させる冷気流入通路１３８と、前記冷気吐出ダクト１３４の前方及び下方側に穿孔形成されて、冷蔵室１０８に冷気を吐出させる複数の冷気吐出口１３６と、を包含して構成されていた。
【０００４】
このように構成された従来の冷蔵庫は、冷凍サイクルが駆動されて送風ファン１２０が回転されると、前記冷凍サイクルを通過しながら冷却された冷気がパネル１２８の冷気吐出口１３０及び冷気供給通路１３２に夫々吐出される。
次いで、前記冷気吐出口１３０に吐出された冷気は、前記冷凍室１０６の内部を循環しながら冷凍室１０６に貯蔵された冷凍食品の冷却作用を遂行する。
【０００５】
且つ、前記冷気供給通路１３２に供給される冷気は、冷気吐出ダクト１３４に流入された後、冷気吐出ダクト１３４の冷気吐出口１３６を通して冷蔵室の内部に吐出される。次いで、該冷蔵室１０８の内部に吐出された冷気は、冷蔵室１０８を循環しながら冷蔵室１０８に保管された冷蔵食品の冷却作用を遂行し、冷却作用を終了した冷気は、前記隔壁１１０の下方側の冷気流入通路１３８に流入されて、冷却サイクルを通過しながら再び冷却される。
【０００６】
【発明が解決しようとする課題】
然るに、このような従来の冷蔵庫においては、冷蔵室の上方側に冷気吐出ダクトが配置されて、該冷気吐出ダクトに形成された冷気吐出口を通して冷気が前記冷蔵室の上方側から下方側に供給されるため、前記冷気吐出口からの距離によって温度偏差が激しくなり、冷蔵室の冷気吐出ダクトのみに冷気が吐出されるため、冷蔵室内部に食品などの収納による高温負荷が発生されると、冷蔵室内部の温度が均一になるまで時間が長くかかり、よって、冷却時間が長引くことで冷蔵室に収納された食品の新鮮度が低下するという不都合な点があった。
【０００７】
本発明は、このような従来の課題に鑑みてなされたもので、冷蔵室内部の所定領域に高温負荷が発生されると、該高温負荷が発生された領域に冷気を集中的に吐出させることで、冷蔵室の温度変化を迅速且つ均一に維持し、高温負荷の冷却速度を向上し得る冷蔵庫の集中冷却装置を提供することを目的とする。
また、冷蔵室の側壁に複数に装着されて、冷気を集中吐出させる各ノズル中、高温負荷が発生された部位の何れか一つのノズルのみから冷気を吐出し得るようにすることで、冷却効率及び冷却性能を向上し得る冷蔵庫の集中冷却装置を提供することを目的とする。
且つ、冷蔵室の側壁に装着されるノズル及び赤外線センサーの結氷を防止し得る冷蔵庫の集中冷却装置を提供することを目的とする。
【０００８】
【課題を解決するための手段】
このような目的を達成するため、本発明に係る冷蔵庫の集中冷却装置においては、冷気を冷蔵室の側壁に案内するように冷蔵室の側壁に一つ以上形成される冷気案内通路に夫々装着されるハウジングと、該ハウジングに回転可能に支持されて、前記冷蔵室内部の所定領域に高温負荷が発生されると、該高温負荷が発生された領域に冷気を集中的に噴射させる冷気噴射口が形成されるノズルと、該ノズルの前方に装着されて、前記ノズルと共に回転されながら高温負荷が発生された領域を感知する赤外線センサーと、前記ハウジングの上面に装着されて、前記ノズルの上面が露出されるように支持すると共に、前記ノズルの回転により前記冷気噴射口の開閉作用を行うノズル蓋と、を包含して構成されることを特徴とする。
【０００９】
又、前記集中冷却装置のノズルは、前記冷気案内通路に供給される冷気を集中負荷が発生された領域に噴射させる冷気噴射口と、前記赤外線センサーが収納されるセンサー収納溝と、を包含して構成されることを特徴とする。
又、前記集中冷却装置のノズル蓋は、前記ハウジングの上面に装着されて、前記ノズルの上面が露出されるように中央にノズル挿入ホールが形成される装着部と、該装着部から露出されるノズルの上面中、一部分のみを被覆し得るように前記装着部の上面に形成されて、前記ノズルが回転されて前記冷気噴射口がその内部に入ると、前記冷気噴射口を密閉させるノズル開閉部と、を包含して構成されることを特徴とする。
【００１０】
又、前記集中冷却装置の装着部は、中央にノズル挿入ホールが形成される円板状に形成されて、前記ノズル開閉部は、前記装着部の上面に前記ノズルの上面中、約１／２程度を被覆し得るように形成されて前記ノズルの上面に密着される球状に形成されることを特徴とする。
又、前記集中冷却装置の装着部とノズル開閉部とは一体に成形されることを特徴とする。
又、前記集中冷却装置のノズル開閉部の内面には、前記ノズル開閉部とノズル間が冷気により結氷されることを防止する加熱手段が付着されることを特徴とする。
又、前記集中冷却装置の加熱手段は、電源が印加されると、発熱される円形状の熱線が形成されることを特徴とする。
【００１１】
又、本発明に係る集中冷却装置は、冷気を冷蔵室の側壁に案内するように冷蔵室の側壁に一つ以上形成される冷気案内通路に夫々装着されるハウジングと、該ハウジングに回転可能に支持されて、前記冷蔵室内部の所定領域に高温負荷が発生されると、該高温負荷が発生された領域に冷気を集中的に噴射させる冷気噴射口が形成されるノズルと、該ノズルの前方に装着されて、前記ノズルと共に回転されながら高温負荷が発生された領域を感知する赤外線センサーと、前記ハウジングの上面に装着されて、前記ノズルの上面が露出されるように支持すると共に、前記ノズルの回転により前記冷気噴射口の開閉作用を行うノズル蓋と、前記冷気案内通路に案内される冷気中の一部を前記赤外線センサーの表面に噴射して該赤外線センサーの表面の結氷を除去する冷気吐出部と、を包含して構成されることを特徴とする。
【００１２】
又、前記集中冷却装置のノズル蓋は、前記ハウジングの上面に装着されて、前記ノズルの上面が露出されるように中央にノズル挿入ホールが形成される装着部と、該装着部から露出されるノズルの上面中、一部分のみを被覆し得るように前記装着部の上面に形成されて、前記ノズルが回転されて前記冷気噴射口がその内部に入ると、前記冷気噴射口を密閉させるノズル開閉部と、を包含して構成されることを特徴とする。
又、前記集中冷却装置の冷気吐出部は、前記ノズル開閉部の内側面に形成されて、冷気を前記赤外線センサーが収納されたセンサー収納溝に噴射させる冷気吐出グルーブと、前記ハウジングの外側壁面に形成されて、前記冷気吐出グルーブと前記冷気案内ダクト間を連通させる冷気供給溝と、を包含して構成されることを特徴とする。
【００１３】
又、前記集中冷却装置の冷気吐出グルーブは、前記ノズル開閉部の内側面に窪んだ帯状に形成されて、その入口が前記センサー収納部の正面に位置されることを特徴とする。
又、前記集中冷却装置の冷気供給溝は、前記ハウジングの外壁一方側に形成されて、その上方側は前記冷気吐出グルーブの端部に連結され、下方側は前記冷気案内ダクトの一方側に形成される貫通ホールに連結されることを特徴とする。
又、前記集中冷却装置のノズル開閉部の内面には、前記ノズル開閉部と前記ノズル間が冷気により結氷されることを防止するヒータが設置されることを特徴とする。
【００１４】
【発明の実施の形態】
以下、本発明の実施の形態に対し、図面を用いて説明する。
図１は本発明に係る冷蔵庫の一部切開された斜視図で、図２は本発明に係る冷蔵庫の断面図である。
【００１５】
本発明に係る冷蔵庫においては、食品が貯蔵される収納空間を有する本体２と、該本体２の左側に配置される冷凍室４の上方側後壁面に付着されて、前記冷凍サイクルを通過しながら冷却された冷気を強制に循環させる送風ファン１２と、前記冷凍室４と冷蔵室６とを区画する隔壁８の上方側に形成されて前記送風ファン１２から送風される冷気を冷蔵室６に供給する冷気供給通路１５と、該冷気供給通路１５と連通されて冷蔵室６の上方側に設置されて、冷蔵室６に冷気を吐出させる冷気吐出口１６が形成される冷気吐出ダクト１７と、前記冷蔵室６の内部の所定領域に高温負荷が発生されると、冷気を集中吐出させる集中冷却装置１０と、を包含して構成されている。
【００１６】
図３は、本発明に係る集中冷却装置の分解斜視図で、図４は本発明に係る集中冷却装置の断面図で、図５は本発明に係る集中冷却装置のノズルの上面図である。
前記集中冷却装置１０は、前記冷気供給通路１５から延長されて、前記冷蔵室６の側壁に少なくとも一つ以上に形成されて、冷気を冷蔵室６の側壁に案内する冷気案内通路１９と、該冷気案内通路１９の長さ方向に所定間隔をおいて形成されて、冷気が吐出される冷気案内ホール２４に夫々装着されるハウジング２０と、該ハウジング２０の内部に回転可能に装着されて、高温負荷が発生された領域に冷気を噴射するノズル２６と、該ノズル２６の前方に装着されて、ノズル２６と共に回転されながら冷蔵室６の内部の高温負荷が発生された領域を感知する赤外線センサー２８と、前記ノズル２６を回転させるノズル駆動部３０と、を包含して構成されている。
【００１７】
又、前記ハウジング２０は、上方側が開放された円筒状で、その底面の中央から内側方向に前記ノズル２６が接触される接触突起３２が形成され、該接触突起３２の外側壁面に前記ノズル２６を回転可能に支持する複数の第１支持ローラー３４が所定間隔をおいて装着される。
ここで、前記接触突起３２は、前記冷気案内通路１９の冷気案内ホール２４と連通されるように貫通された形態で、前記接触突起３２の上面は、前記ノズル２６が接触された状態で容易に回転されるように曲面状に形成される。
【００１８】
又、前記ノズル２６は、半球状に形成されて、前記下方側の内周面が前記接触突起３２に回転可能に接触される。そして、前記ノズル２６には、冷蔵室６の内部に噴射する冷気噴射口３６が貫通されるように形成され、前記ノズル２６の上面には、冷蔵室６の内部の温度を検出する赤外線センサー２８が収納されるセンサー収納溝３８が形成される。そして、前記ノズル２６の下方側には、前記ノズル駆動部３０との連結のための連結ロッド４０が一体に形成され、前記ハウジング２０に装着される第１支持ローラー３４に回転可能に支持される円筒状のガイド部４２が形成される。
【００１９】
そして、前記センサー収納溝３８は、前記ノズル噴射口３６の傾斜角と同様な傾斜角を有するように形成され、前記赤外線センサー２８は、前記センサー収納溝３８に収納されて、前記冷気噴射口３６前方の熱源から輻射された赤外線を受光して温度を検出する。
又、前記ノズル駆動部３０は、前記ハウジング２０の一方側に装着されるギアボックス４４と、該ギアボックス４４に収納されて駆動力を発生させる駆動モータ４６と、前記ノズル２６に連結される連結ロッド４０が固定されて、前記駆動モータ４６及び複数のギア４８により連結されて前記駆動モータ４６の駆動力を前記ノズル２６に伝達するノズル支持部材５０と、を包含して構成される。
【００２０】
又、前記ノズル支持部材５０は、前記ノズル２６のガイド部４２の外周面が挿入されるようにその中央が開口されて、側面に夫々前記連結ロッド４０が挿入され、その外周面には、前記ギア部４８と歯合されるギア歯５２が形成される。
又、前記ハウジング２０の開放された上面には、前記ノズル２６を回転可能に支持すると共に、前記ノズル２６の冷気噴射口３６を開閉させるノズル蓋６０が装着される。
又、前記ノズル蓋６０は、前記ハウジング２０の上面にボルト６２により螺合される装着部６４と、該装着部６４の上面に形成されて、前記ノズル噴射口３６の開閉作用を行うノズル開閉部６６と、を包含して構成される。
【００２１】
又、前記装着部６４は、その中央に前記ノズル２６の上面が外部に露出されるように挿入されるノズル挿入ホール６８が形成される円板状に形成されて、その下面には、前記ノズル挿入ホール６８の円周方向に前記複数の第２支持ローラー７０が等間隔に装着される。
又、前記ノズル開閉部６６は、前記装着部６４の上面に一体に形成され、該装着部６４の上面に突出されるノズル２６の上面中、一部分のみを被覆し得るように膨らんだ蓋状で、前記ノズル２６が回転されて前記冷気噴射口３６が前記ノズル開閉部６６の内部に入ると、前記冷気噴射口３６の入口がノズル開閉部６６の内側面に密着されて前記冷気噴射口３６を密閉させる。
【００２２】
そして、前記ノズル開閉部６６の内側面には、前記センサー収納溝３８に冷気を噴射して赤外線センサー２８の表面に凝結された水分を除去する冷気吐出部８０が形成される。
又、前記冷気吐出部８０は、前記ノズル開閉部６６の内側面に形成されて、冷気を前記赤外線センサー２８が収納されたセンサー収納溝３８に噴射させる冷気吐出グルーブ７２と、前記ハウジング２０の外側壁面に形成されて、前記冷気吐出グルーブ７２と前記冷気案内ダクト１９間を連結して前記冷気案内ダクト１９を通過する冷気を前記冷気吐出グルーブ７２に供給する冷気供給溝７４と、を包含して構成される。
【００２３】
ここで、前記冷気吐出グルーブ７２は、前記ノズル開閉部６６の内側面に窪んだ帯状に形成されて、前記ノズル開閉部６６が前記ノズル２６の上面に密着された状態で冷気が通過する。
又、前記冷気供給溝７４は、前記ハウジング２０の外壁一方側に形成されて、その上方側は前記冷気吐出グルーブ７２の端部に連結されて、下方側は前記冷気案内ダクト１９の一方側に形成される貫通ホール７６に連結される。
【００２４】
このように構成される冷気吐出部８０は、前記冷気案内ダクト１９を通過する冷気中の一部が前記貫通ホール７６を通して前記冷気供給溝７４に流入され、該冷気供給溝７４に流入された冷気が前記冷気吐出グルーブ７２を通過して前記赤外線センサー２８が収納されたセンサー収納溝３８に噴射されると、前記赤外線センサー２８の表面に付着された部分が噴射される冷気により除去されることで、前記赤外線センサー２８の作動信頼性が維持される。
そして、前記ノズル開閉部６６の一方側には、ノズル開閉部６６と前記ノズル２６間の接触面が冷気により結氷されることを防止するための加熱手段が付着される。
又、前記加熱手段は、前記ノズル開閉部６６の内側面一方側に付着されて電源が印加されると、所定温度に発熱される熱線８２から形成されることが好ましい。
【００２５】
以下、上記のように構成される本発明に係る集中冷却装置の第１実施形態の動作に対し、説明する。
図６は、本発明に係る集中冷却装置の動作を示したノズルの上面図である。
冷蔵庫の正常運転中に冷蔵庫内部の所定領域に高温負荷が発生されると、前記赤外線センサー２８が冷蔵室６の内部の温度をスキャニングして高温負荷が発生された領域を感知してコントロールユニット（図示されず）に印加すると、該コントロールユニットは、前記駆動モータ４６を制御して前記ノズル２６の冷気噴射口３６を該当領域に向かうように回転させて高温負荷が発生された領域に集中冷却を実施して迅速に冷蔵室６の内部温度を均一にする。
【００２６】
この時、前記コントロールユニットは、複数の赤外線センサー２８から印加される信号の伝達を受けて高温負荷が発生された領域を判断して、高温負荷が発生された領域はノズル噴射口３６を開放して集中冷却を実施し、その他の領域のノズルのノズル噴射口は閉鎖させる。
即ち、前記ノズル噴射口を閉鎖しようとする集中冷却装置の駆動モータ４６を駆動させてノズル２６を回転させると、前記ノズル噴射口３６が前記ノズル開閉部６６の内部に挿入されることで、前記ノズル開閉部６６の内側面に密着されて冷気噴射が遮断される。
【００２７】
そして、前記のような作動中に冷蔵庫のドアの開閉により外部の高温空気が冷蔵庫の内部に流入されて冷蔵庫の内部で冷却されると、空気中に含まれていた水分が凝縮されて冷蔵室内部の表面に付着される。この時、前記水分が前記赤外線センサー２８の表面にも付着されて赤外線センサー２８の感度を低下させることで、正確な温度測定が不可能になるが、これを防止するため、前記センサー収納溝３８に冷気を噴射して前記赤外線センサー２８の表面に凝結される水分を除去する。
この動作に対して詳しく説明すると、前記冷気案内通路１９を流れる冷気中の一部が該冷気案内通路１９に形成される貫通ホール７６を通して前記ハウジング２０の側壁に形成された冷気案内溝７４に流入され、前記ノズル開閉部６６の内面に形成された冷気吐出グルーブ７２から前記センサー収納溝３８の内部に噴射されて前記赤外線センサー２８の表面に凝結された水分が除去される。
【００２８】
【発明の効果】
以上説明したように、本発明に係る集中冷却装置及びその装置を具備した冷蔵庫においては、冷蔵室の側壁に複数の集中冷却装置を設置して赤外線センサーにより冷蔵室の全領域の温度をスキャニングして所定領域に高温負荷が検出されると、ノズルを回転させてノズル噴射口の噴射位置を調整して高温負荷が発生された部位に集中的に冷気を吐出させることで、迅速な冷却作用を遂行し得るし、迅速に冷蔵室内部の温度を均一に維持し得るという効果がある。
【００２９】
また、冷蔵庫内部の高温負荷が発生された領域は、ノズル噴射口を開放して集中冷却を実施し、その他の領域のノズルのノズル噴射口は、閉鎖させることで集中冷却性能及び効率を向上し得るという効果がある。
また、前記冷気案内通路に流れる冷気中の一部を前記センサー収納溝に噴射させて前記センサー収納溝に収納された赤外線センサーの表面に凝結された水分を除去することで、赤外線センサーの感度を維持し得るし、温度測定の信頼性を向上し得るという効果がある。
【図面の簡単な説明】
【図１】本発明に係る集中冷却装置が備えられた冷蔵庫を示した一部切開斜視図である。
【図２】本発明に係る集中冷却装置が備えられた冷蔵庫の構成を示した概略縦断面図である。
【図３】本発明に係る集中冷却装置の構成を示した分解斜視図である。
【図４】本発明に係る集中冷却装置の構成を示した縦断面図である。
【図５】本発明に係る集中冷却装置のノズルを示した上面図である。
【図６】本発明に係る集中冷却装置のノズルの作動状態図である。
【図７】従来の冷蔵庫の構成を示した一部切開斜視図である。
【図８】従来の冷蔵室の断面図である。
【符号の説明】
２…本体
４…冷凍室
６…冷蔵室
８…隔壁
１０…集中冷却装置
１２…送風ファン
１５…冷気供給通路
１７…冷気吐出ダクト
１６…冷気吐出口
１９…冷気案内通路
２０…ハウジング
２４…冷気案内ホール
２６…ノズル
２８…赤外線センサー
３０…ノズル駆動部
３２…接触突起
３４…第１支持ローラー
３６…冷気噴射口
３８…センサー収納溝
４０…連結ロッド
４２…ガイド部
４４…ギアボックス
４６…駆動モータ
４８…ギア
５０…ノズル支持部材
５２…ギア歯
６０…ノズル蓋
６４…装着部
６６…ノズル開閉部
７２…冷気吐出グルーブ
７４…冷気供給溝
７６…貫通ホール
８０…冷気吐出部
【図１】
0003648227.tif 000002
【図２】
0003648227.tif 000003
【図３】
0003648227.tif 000004
【図４】
0003648227.tif 000005
【図５】
0003648227.tif 000006
【図６】
0003648227.tif 000007
【図７】
0003648227.tif 000008
【図８】
0003648227.tif 000009